(57)【要約】【課題】流量が少ない状態においても複数組の真空弁の使用量を均等化する。【解決手段】真空弁ユニット２０は、複数の汚水溜まり部２２Ａ〜２２Ｃと、汚水流入管１１から流れ出る汚水を受け、汚水を複数の汚水溜まり部２２Ａ〜２２Ｃに分配する汚水分配部２３とを備え、汚水分配部２３は、汚水流入管１１から流れ出る汚水を受ける汚水受け部２３ａと、汚水受け部２３ａに形成され、複数の汚水溜まり部２２Ａ〜２２Ｃのそれぞれに通じる複数の流出部２６Ａ〜２６Ｃとを備え、複数の流出部２６Ａ〜２６Ｃの底面が、同じ高さ位置に形成されていることを特徴とする。【選択図】図２
2015021374.tif 000002
【特許請求の範囲】
【請求項１】
複数の汚水溜まり部と、
汚水流入管から流れ出る汚水を受け、前記汚水を複数の前記汚水溜まり部に分配する汚水分配部とを備え、
前記汚水分配部は、前記汚水流入管から流れ出る前記汚水を受ける汚水受け部と、
前記汚水受け部に形成され、複数の前記汚水溜まり部のそれぞれに通じる複数の流出部とを備え、
複数の前記流出部の底面が、同じ高さ位置に形成されていることを特徴とする真空弁ユニット。
【請求項２】
前記汚水受け部は、前記汚水流入管の先端に形成された汚水吐出口が、平面視したときに前記汚水受け部の開口端縁内に位置するよう形成されていることを特徴とする請求項１に記載の真空弁ユニット。
【請求項３】
複数の前記流出部は、それぞれの流路幅が同一寸法に形成されていることを特徴とする請求項１または２に記載の真空弁ユニット。
【発明の詳細な説明】
【技術分野】
【０００１】
本発明は、住宅や工場等から排出される汚水を受ける真空弁ユニットに関する。
【背景技術】
【０００２】
下水道は、住宅や工場等から排出される汚水は、真空弁ユニットを介して下水処理場等に送られる。
真空弁ユニットにおいては、住宅や工場等から排出される汚水を、汚水流入管を介して汚水ますに流入させる。汚水ますに溜った汚水は、真空下水管によって集水タンクに集められた後、圧送ポンプによって下水処理場等に送られるようになっている。
【０００３】
汚水ますと真空下水管は、汚水ますの底部から立ち上がる吸込み管によって接続されている。そして、吸込み管には、開閉可能な真空弁が設けられ、真空弁を開いたときには、真空下水管内の真空圧が吸込み管に及ぶようになっている。このような真空弁ユニットにおいては、汚水ますの水位が一定以上に上昇したときに真空弁を開く。すると、真空下水管内の真空圧が吸込み管に及び、汚水ますに溜まった汚水が吸い上げられ、真空下水管を介して集水タンクに送られる。
【０００４】
ここで、真空弁ユニットにおける汚水処理容量を増大させるため、一つの真空弁ユニットに、複数組の真空弁を備えたものがある（例えば、特許文献１参照。）。
このような真空弁ユニットにおいて、一部の真空弁ばかりが使用されると、使用量の多い真空弁ほど頻繁にメンテナンスを行う必要が生じる。このため、複数組の真空弁の使用量を均等化するのが好ましい。
そこで、特許文献１においては、図６に示すように、真空弁１と同数の汚水溜まり凹部２を設け、汚水流入管３の先端部の汚水落下部３ａと各汚水溜まり凹部２との間に、汚水流入管３からの落下汚水を各汚水溜まり凹部２に略均等に分配する分水嶺４を設ける構成が開示されている。
この構成においては、汚水流入管３から流下する汚水は、分水嶺４によって各汚水溜まり凹部２に略均等に分配されるようになっている。その結果、複数組の真空弁１の使用量も均等化される。
【先行技術文献】
【特許文献】
【０００５】
【特許文献１】特開平７−１５８１４８号公報
【発明の概要】
【発明が解決しようとする課題】
【０００６】
特許文献１に記載の構成において、汚水流入管３は、複数の汚水だまり凹部２の外周側から横方向に延び、先端部の汚水落下部３ａが分水嶺４の鉛直上方に位置するよう設けられている。そして、汚水流入管３は、先端部の汚水落下部３ａの近傍にエルボ等からなる曲折部３ｂを有している。このため、汚水流入管３における汚水の流量が少ない場合には、汚水は、図６中に二点鎖線の矢印Ｓで示すように、横方向に延びる部分３ｃにおいては汚水流入管３の下側を流れ、曲折部３ｂの曲折方向内周側を経て、先端部の汚水落下部３ａから流下する。したがって、先端部の汚水落下部３ａにおいては、汚水は、曲折部３ｂの曲折方向内周側に連続する側（汚水流入管３の横方向に延びる部分３ｃ側）に偏って流れる。その結果、汚水流入管３の先端部の汚水落下部３ａから流下する汚水は、分水嶺４の頂部４ａに対し、曲折部３ｂの曲折方向内周側に連続する側（汚水流入管３の横方向に延びる部分３ｃ側）に位置する汚水だまり凹部２Ａに集中して流れ込んでしまう。すると、汚水が集中した汚水だまり凹部２Ａに設けられた真空弁１Ａの使用量ばかりが増えてしまう。
したがって、特許文献１に記載した構成においては、複数組の真空弁の使用量を均等化するという点で、改善の余地があるのが現状である。
そこで本発明は、流量が少ない状態においても複数組の真空弁の使用量を均等化する真空弁ユニットを提供することを課題とする。
【課題を解決するための手段】
【０００７】
本発明は、上記課題を解決するため、以下の手段を採用する。
すなわち、本発明は、複数の汚水溜まり部と、汚水流入管から流れ出る汚水を受け、前記汚水を複数の前記汚水溜まり部に分配する汚水分配部とを備え、前記汚水分配部は、前記汚水流入管から流れ出る前記汚水を受ける汚水受け部と、前記汚水受け部に形成され、複数の前記汚水溜まり部のそれぞれに通じる複数の流出部とを備え、複数の前記流出部の底面が、同じ高さ位置に形成されていることを特徴とする。
このような真空弁ユニットによれば、汚水流入管から流れ出た汚水は、一旦、汚水分配部の汚水受け部で受ける。そして、汚水受け部で受けた汚水は、底面が同じ高さに設けられた複数の流出部から、複数の汚水溜まり部のそれぞれに流れ込む。これによって、汚水流入管からの汚水流量が少ない場合であっても、複数の流出部からは均等に汚水が複数の汚水溜まりに流れ込む。
【０００８】
前記汚水受け部は、前記汚水流入管の先端に形成された汚水吐出口が、平面視したときに前記汚水受け部の開口端縁内に位置するよう形成されているようにしてもよい。
これにより、汚水吐出口から流れ出た汚水は、その流量に関わらず、その全量が汚水分配部の汚水受け部に確実に流れ込む。
【０００９】
また、複数の前記流出部は、それぞれの流路幅が同一寸法に形成されているようにしてもよい。
これにより、各流出部から汚水受け部に流れ込む汚水の流量が均等になる。
【発明の効果】
【００１０】
本発明によれば、流量が少ない状態においても複数の汚水溜まりに均等に汚水を分配することによって、それぞれの汚水溜まりから汚水を吸い上げる複数組の真空弁の使用量を均等化することが可能となる。
【図面の簡単な説明】
【００１１】
【図１】本実施形態にかかる真空式下水道の概略構成を示す断面図である。
【図２】真空弁ユニットの構成を示す断面図であり、図３のＸ−Ｘ矢視図である。
【図３】真空弁ユニットの構成を示す平面図である。
【図４】汚水分配部の構成を示す拡大断面図である。
【図５】真空弁ユニットの変形例を示す断面図である。
【図６】従来の真空弁ユニットの概略構成を示す断面図である。
【発明を実施するための形態】
【００１２】
以下、添付図面を参照して、本発明による真空弁ユニットを実施するための形態を説明する。しかし、本発明はこの実施形態のみに限定されるものではない。
【００１３】
図１は、本実施形態にかかる真空式下水道の概略構成を示す断面図である。図２は真空弁ユニット２０の構成を示す断面図、図３は真空弁ユニット２０の構成を示す平面図である。図４は、汚水分配部の構成を示す拡大断面図である。
図１に示すように、真空式下水道１０は、汚水を住居や工場等から排出させる汚水流入管１１と、汚水流入管１１から流入する汚水を溜める真空弁ユニット２０と、真空弁ユニット２０と真空ポンプ場の集水タンク１３とを連通する真空下水管１４とを備えている。
【００１４】
このような真空式下水道１０においては、各住居や工場等から排出される汚水は、自然流下式の汚水流入管１１から真空弁ユニット２０に流れ込む。そして、真空弁ユニット２０に溜まった汚水は、真空ステーションの真空ポンプ（不図示）で発生させた真空圧によって真空状態とされた真空下水管１４内に吸い込まれ、集水タンク１３に集められる。集水タンク１３に集められた汚水は、その後、圧送ポンプによって下水処理場等に送られる。
【００１５】
図２、図３に示すように、真空弁ユニット２０は、ハウジング２１と、ハウジング２１の底部に設けられた複数（本実施形態では３個）の汚水溜まり凹部（汚水溜まり部）２２Ａ〜２２Ｃと、汚水溜まり凹部２２Ａ〜２２Ｃよりも上方に設けられた汚水分配部２３と、汚水溜まり凹部２２Ａ〜２２Ｃのそれぞれに設けられた吸込み管２４Ａ〜２４Ｃと、吸込み管２４Ａ〜２４Ｃのそれぞれに設けられた真空弁２５Ａ〜２５Ｃとを備えている。
【００１６】
ハウジング２１は例えば円筒状で、その側面２１ａには、汚水流入管１１、および真空下水管１４（１４Ａ〜１４Ｃ）がその内外を貫通して設けられている。このハウジング２１は、現場打ちコンクリートまたは予め形成されたマンホールユニット等からなる。
ここで、汚水流入管１１は、所定の水勾配で横方向に延びて設けられるとともに、先端部１１ｂがハウジング２１内においてエルボ配管等によって下方に向けて曲折し、汚水を下方に向けて吐出する汚水吐出口１１ｃを有している。
【００１７】
図３に示すように、汚水溜まり凹部２２Ａ〜２２Ｃはハウジング２１内において、ハウジング２１の中心Ｃの外周側に、周方向に間隔をあけて配置されている。
図２に示すように、汚水溜まり凹部２２Ａ〜２２Ｃのそれぞれは、例えば、上方に開口した有底状で、底部２２ｄから上方に向けてその内径が漸次増大する逆円錐台形状（すり鉢状）に形成されている。
【００１８】
図２〜図４に示すように、汚水分配部２３は、上方に開口した有底状の凹部（汚水受け部）２３ａと、汚水流出部（流出部）２６Ａ〜２６Ｃと、を備えている。
この汚水分配部２３は、汚水溜まり凹部２２Ａ〜２２Ｃの中央部に配置されている。そして、汚水分配部２３は、汚水流入管１１の汚水吐出口１１ｃが、凹部２３ａの鉛直上方に配置され、平面視したときに凹部２３ａの図４に示す開口端縁２３ｅの範囲内に位置するよう形成されている。これにより、汚水流入管１１の汚水吐出口１１ｃから吐出された汚水が、汚水分配部２３の凹部２３ａ内に流下するようになっている。
凹部２３ａの外周部には、上方に立ち上がり、周方向に連続する周壁部２３ｂが形成されている。周壁部２３ｂには、周方向に間隔を隔てて複数個所（本実施形態においては３箇所）に、周壁部２３ｂの一部が切り欠かれることによって、汚水流出部２６Ａ〜２６Ｃが形成されている。これらの汚水流出部２６Ａ〜２６Ｃは、その底面２６ｄが、同じ高さに設定されている。また、これら汚水流出部２６Ａ〜２６Ｃは、周壁部２３ｂの周方向における開口幅Ｗが、同一寸法に設定されている。
ここで、凹部２３ａの深さや内径は、適宜設定すれば良いが、汚水流入管１１から流れ出る汚水の流量が多い場合等に、汚水が周囲に跳ねたり、汚水の勢いによって凹部２３ａ内の汚水液面が上下に揺れるのを抑えるため、凹部２３ａに収容できる汚水量がなるべく多くなるようにするのが好ましい。
【００１９】
これら汚水流出部２６Ａ〜２６Ｃのそれぞれには、汚水溜まり凹部２２Ａ〜２２Ｃに向けて、汚水流路２７Ａ〜２７Ｃが連続して形成されている。これら汚水流路２７Ａ〜２７Ｃは、例えば、それぞれ、その流路幅が汚水流出部２６Ａ〜２６Ｃから汚水溜まり凹部２２Ａ〜２２Ｃに向けて漸次拡大するよう形成されている。
【００２０】
吸込み管２４Ａ〜２４Ｃは、それぞれ、その一端部２４ｄが汚水溜まり凹部２２Ａ〜２２Ｃ内に位置するよう設けられ、他端部２４ｅが真空下水管１４Ａ〜１４Ｃに接続されている。
真空弁２５Ａ〜２５Ｃは、それぞれ、吸込み管２４Ａ〜２４Ｃと真空下水管１４Ａ〜１４Ｃとの断続を切り替える不図示の弁体を備えている。この弁体は、不図示のコントローラによってその動作が制御される。コントローラにおいては、不図示の液位検出計によって検出される汚水溜まり凹部２２Ａ〜２２Ｃの液位が予め定めたレベルを超えたときに、弁体を作動させ、吸込み管２４Ａ〜２４Ｃと真空下水管１４Ａ〜１４Ｃとを連通させるようになっている。
【００２１】
このような真空弁ユニット２０においては、住宅や工場等から排出される汚水は、汚水流入管１１から真空弁ユニット２０内の汚水分配部２３の凹部２３ａに流れ込む。
凹部２３ａ内に流れ込んだ汚水は、凹部２３ａの上方の汚水流出部２６Ａ〜２６Ｃから流出し、汚水流路２７Ａ〜２７Ｃを経て汚水溜まり凹部２２Ａ〜２２Ｃへと流れ込む。これにより、汚水流入管１１から流れ込んだ汚水が、汚水分配部２３によって汚水溜まり凹部２２Ａ〜２２Ｃに分配される。
【００２２】
汚水溜まり凹部２２Ａ〜２２Ｃにおける汚水の液位が所定レベルまで上昇すると、コントローラの制御により真空弁２５Ａ〜２５Ｃの弁体（不図示）が作動し、吸込み管２４Ａ〜２４Ｃと真空下水管１４Ａ〜１４Ｃとを連通させる。すると、真空ポンプ場の真空ポンプ（不図示）で発生する真空圧（負圧）によって汚水溜まり凹部２２Ａ〜２２Ｃ内の汚水が、吸込み管２４Ａ〜２４Ｃによって吸い上げられる。この汚水は各真空弁２５Ａ〜２５Ｃを経て真空下水管１４Ａ〜１４Ｃに吸込まれ、真空ポンプ場の集水タンク１３に集められ、その後圧送ポンプによって下水処理場等に送られる。
【００２３】
上述した真空弁ユニット２０によれば、汚水流入管１１から真空弁ユニット２０内に流れ込んだ汚水は、汚水分配部２３の凹部２３ａに流れ込んだ後、凹部２３ａの上方の汚水流出部２６Ａ〜２６Ｃから汚水溜まり凹部２２Ａ〜２２Ｃに分配される。このとき、汚水流出部２６Ａ〜２６Ｃは、その底面２６ｄが同じ高さに設定され、開口幅Ｗが、同一寸法に設定されている。これにより、汚水は、凹部２３ａから汚水溜まり凹部２２Ａ〜２２Ｃに均等に分配される。
また、汚水流入管１１の汚水吐出口１１ｃが、汚水分配部２３の凹部２３ａの開口端縁２３ｅの範囲内に配置されている。したがって、汚水流入管１１からの汚水の流量に関わらず、汚水吐出口１１ｃから流下する汚水は、その流量に関わらず、全量が凹部２３ａ内に流れ込む。
これにより、汚水流入管１１からの汚水の流量に関わらず、真空弁２５Ａ〜２５Ｃが均等に作動し、その使用量が均等化される。その結果、真空弁２５Ａ〜２５Ｃ等の点検やメンテナンスも同じタイミングで実施すれば良く、メンテナンスのコストや手間を抑えることが可能となる。
【００２４】
（その他の実施形態）
なお、本発明の真空弁ユニットは、図面を参照して説明した上述の各実施形態に限定されるものではなく、その技術的範囲において様々な変形例が考えられる。
また、汚水流入管１１の汚水吐出口１１ｃは、汚水分配部２３の鉛直上方に配置するようにしたが、これに限るものではない。例えば、図５に示すように、汚水流入管１１の汚水吐出口１１ｃを、汚水分配部２３の凹部２３ａの内側空間内に配置するようにしてもよい。このような構成によれば、汚水流入管１１の汚水吐出口１１ｃから吐出された汚水が、汚水分配部２３の凹部２３ａ内に流れ込むときに、周囲に跳ね上がるのを防ぐことができる。したがって、汚水流入管１１からの汚水の流量に関わらず、汚水吐出口１１ｃから流下する汚水を、その全量を凹部２３ａ内に確実に流れ込ませることができる。
【００２５】
また、上記実施形態では、汚水分配部２３は、汚水溜まり凹部２２Ａ〜２２Ｃの中央部に配置されているが、その配置については何ら限定するものではない。汚水分配部２３は、汚水流入管１１の汚水吐出口１１ｃが、平面視したときに凹部２３ａの範囲内に位置するよう形成されていれば良い。
【００２６】
さらに、例えば、ハウジング２１は、円筒状としたが、角筒状等であってもよい。
また、汚水溜まり凹部２２Ａ〜２２Ｃのそれぞれを逆円錐台形状としたが、その形状については何ら限定するものではなく、円筒状等であってもよい。さらにはその平断面形状も、円形に限らず、矩形、多角形状等であってもよい。また、３個の汚水溜まり凹部２２Ａ〜２２Ｃを備える例を示したが、複数備えるのであれば、その設置数、配置等も上記実施形態に示したものに限らない。
加えて、真空弁２５Ａ〜２５Ｃの構造や作動制御方法については何ら限定するものではなく、所要の機能を果たすことができるのであれば、いかなる構成のものを採用してもよい。
これ以外にも、本発明の主旨を逸脱しない限り、上記実施の形態で挙げた構成を取捨選択したり、他の構成に適宜変更したりすることが可能である。
【符号の説明】
【００２７】
１１  汚水流入管
１１ｃ  汚水吐出口
２０  真空弁ユニット
２２Ａ〜２２Ｃ  汚水溜まり凹部（汚水溜まり部）
２３  汚水分配部
２３ａ  凹部（汚水受け部）
２６Ａ〜２６Ｃ  汚水流出部（流出部）
【図１】
2015021374.tif 000003
【図２】
2015021374.tif 000004
【図３】
2015021374.tif 000005
【図４】
2015021374.tif 000006
【図５】
2015021374.tif 000007
【図６】
2015021374.tif 000008